(57)【特許請求の範囲】
【請求項１】
開閉する扉に取り付けられるケース本体と、
ケース本体に設けられ、扉が開閉して、ケース本体が床面に回動可能に設けられた金属製ストッパー板の上方に位置すると、金属製ストッパー板をケース本体に引き寄せる磁石と、
ケース本体に揺動可能に設けられ、前記磁石を取り付ける磁石取付枠とからなり、
前記磁石取付枠には、扉の一方向の回動時に磁石によって引き寄せられた金属製ストッパー板と係止する第１の係止部と、扉の他方向の回動時に磁石によって引き寄せられたストッパー板と係止する第２の係止部が設けられていることを特徴とするドアストッパー。
【請求項２】
前記第１の係止部及び第２の係止部は、磁石取付枠の底壁に設けられ、ケース本体の外側の面に前記金属製ストッパー板と摺接する傾斜面が形成され、ケース本体の内側の面に前記金属製ストッパー板と係止する係止突部が形成されていることを特徴する請求項１記載のドアストッパー。
【請求項３】
前記ケース本体には、前記磁石取付枠をロックするロック位置とロックしない非ロック位置に移動可能なロック部材と、
このロック部材を操作する操作部材とが設けられていることを特徴とする請求項１又は２記載のドアストッパー。
【請求項４】
前記操作部材は、ケース本体の一側に形成された開口から突出する操作レバーであって、
当該操作レバーは、前記ロック部材に取り付けられていることを特徴とする請求項３記載のドアストッパー。
【発明の詳細な説明】
【技術分野】
【０００１】
本願発明は、扉を床面等に設けられた金属製ストッパー板の上方の位置まで開くと、金属製ストッパー板を磁石により引き上げて係止させ、扉の開閉を規制させるドアストッパーに関する。
【背景技術】
【０００２】
従来のドアストッパーは、開閉する扉に取り付けられるケース本体を有する。ケース本体には、床面に回動可能に設けられた金属製ストッパー板を引き寄せてケース本体の底面に係合させる磁石と、この磁石により引き寄せた金属製ストッパー板の先端を当接させて扉の開放を阻止する係止凸部と、金属製ストッパー板の一側を係止して扉の閉鎖を阻止する係止部材とが設けられている。このように、従来のドアストッパーは、開閉する扉の回転を規制する。
【０００３】
上記した係止部材には、ケース本体の下部に固定して設けられたものや（例えば、特許文献１）、ケース本体の開口から突出する操作レバーによって、ケース本体の下部から出没するものが存在する（例えば、特許文献２）。また、上記磁石が、ケース本体に揺動可能に設けられた磁石取付枠に取り付けられるものも存在する（例えば、特許文献３）。
【先行技術文献】
【特許文献】
【０００４】
【特許文献１】特開２００３−３３６４２５号公報
【特許文献２】特開２０１３−１３００２４号公報
【特許文献３】特開２０１０−４８０５３号公報
【発明の概要】
【発明が解決しようとする課題】
【０００５】
従来のドアストッパーは、上記したように、扉を開くと、扉に取り付けたケース本体の磁石が、床面に設けられた金属製ストッパー板を引き寄せてケース本体の係止凸部に当接させ、扉がこれ以上開くのを阻止し、扉の閉じ方向への回動を係止部材が阻止する。係止部材が下部に固定されているドアストッパーの場合は、磁石によって引き寄せられた金属製ストッパー板が係止部材を乗り越えてケース本体の底面に係合し、係止凸部に当接するのであるが、この乗り越え時に金属製ストッパー板が磁石から離されてケース本体から外れてしまう場合があった。そのため、扉の開放を阻止することができないという不都合が生じるという問題点があった。
【０００６】
従って、従来のドアストッパーは、操作レバーのロック操作によって、係止部材をケース本体の下部から出没させて扉をロックするようにしているものもあるが、使用者は、身体を屈ませてドアの下部に設けたドアストッパーを操作しなければならず、手間がかかるという問題点があった。従来のドアストッパーは、扉をドアストッパーに仮止めさせる機構を備えておらず、扉をドアストッパーに固定するためには上記した面倒なロック操作を行わなければならない。従来のドアストッパーは、一時的に扉を開けておく場合は、ロックしないことがほとんどであった。特に、荷物の出し入れで両手が塞がっている場合はドアストッパーをロックすることがほとんどなかった。そのため、通過中に扉が閉まって作業の障害になるという問題点があった。また上記したように係止凸部はケース本体に固定して設けられ、係止部材はケース本体に固定若しくは操作可能に設けられているが、係止凸部及び係止部材が自動的に動作するものは存在しなかった。
【０００７】
本願発明は、上記問題点に鑑み案出したものであって、ケース本体に揺動可能に取り付けられた磁石取付枠に、金属製ストッパー板を引き寄せて係止する一対の係止部が設けられ、当該一対の係止部が自動的に動作するドアストッパーを提供することを第１の目的とする。さらに、金属製ストッパー板を仮保持する仮保持機構と金属製ストッパー板を本保持する本保持機構を有し、状況に合わせて選択することができるドアストッパーを提供することを第２の目的とする。
【課題を解決するための手段】
【０００８】
本願請求項１に係るドアストッパーは、上記第１の目的を達成するため、開閉する扉に取り付けられるケース本体と、ケース本体に設けられ、扉が開閉して、ケース本体が床面に回動可能に設けられた金属製ストッパー板の上方に位置すると、金属製ストッパー板をケース本体に引き寄せる磁石と、ケース本体に揺動可能に設けられ、前記磁石を取り付ける磁石取付枠とからなり、前記磁石取付枠には、扉の一方向の回動時に磁石によって引き寄せられた金属製ストッパー板と係止する第１の係止部と、扉の他方向の回動時に磁石によって引き寄せられた金属製ストッパー板と係止する第２の係止部が設けられていることを特徴とする。
【０００９】
本願請求項２に係るドアストッパーは、上記第１の目的を達成するため、前記第１の係止部及び第２の係止部は、磁石取付枠の底壁に設けられ、ケース本体の外側の面に前記金属製ストッパー板と摺接する傾斜面が形成され、ケース本体の内側の面に前記金属製ストッパー板と係止する係止突部が形成されていることを特徴する。
【００１０】
本願請求項３に係るドアストッパーは、上記第２の目的を達成するため、前記ケース本体には、前記磁石取付枠をロックするロック位置とロックしない非ロック位置に移動可能なロック部材と、このロック部材を操作する操作部材とが設けられていることを特徴とする。
【００１１】
本願請求項４に係るドアストッパーは、上記第２の目的を達成するため、前記操作部材は、ケース本体の一側に形成された開口から突出する操作レバーであって、当該操作レバーは、前記ロック部材に取り付けられていることを特徴とする。
【発明の効果】
【００１２】
本願発明に係るドアストッパーは、開閉する扉に取り付けられるケース本体と、ケース本体に設けられ、扉が開閉して、ケース本体が床面に回動可能に設けられた金属製ストッパー板の上方に位置すると、金属製ストッパー板をケース本体に引き寄せる磁石と、ケース本体に揺動可能に設けられ、前記磁石を取り付ける磁石取付枠とからなる。前記磁石取付枠には、扉の一方向の回動時に磁石によって引き寄せられた金属製ストッパー板と係止する第１の係止部と、扉の他方向の回動時に磁石によって引き寄せられた金属製ストッパー板と係止する第２の係止部が設けられている。
【００１３】
本願発明に係るドアストッパーは、扉を開くと、扉に取り付けたケース本体の磁石が、床面に設けられた金属製ストッパー板を引き寄せる。金属製ストッパー板が磁石取付枠の一方に形成された第１の係止部に接触する。この第１の係止部と第２の係止部は、ケース本体に揺動可能に設けられた磁石取付枠に形成されている。金属製ストッパー板が第１の係止部に接触すると、磁石取付枠が揺動し、金属製ストッパー板が第１の係止部を乗り越え易くなっている。金属製ストッパー板は、第１の係止部を乗り越えると、第２の係止部に係止される。このようにして、扉の開放が規制されることになる。次に、扉を閉じると、金属製ストッパー板が第１の係止部に係止される。金属製ストッパー板は、第１の係止部と第２の係止部に係止され、扉は回動（開閉）不能となっている。扉をさらに強く閉じると、金属製ストッパー板が第１の係止部を押圧して、磁石取付枠が揺動し、金属製ストッパー板が第１の係止部を乗り越え易く、金属製ストッパー板が第１の係止部から外れる。このようにして、扉は閉じる方向に回動させることができる。このように、本願発明に係るドアストッパーは金属製ストッパー板を第１の係止部と第２の係止部が仮保持して、扉を仮止めすることができるという効果がある。
【００１４】
本願発明に係るドアストッパーは、前記第１の係止部及び第２の係止部が、磁石取付枠の底壁に設けられ、ケース本体の外側の面に前記金属製ストッパー板と摺接する傾斜面が形成され、ケース本体の内側の面に前記金属製ストッパー板と係止する係止突部が形成されている。
【００１５】
本願発明に係るドアストッパーは、扉を開くと、扉に取り付けたケース本体の磁石が、床面に設けられた金属製ストッパー板を引き寄せる。金属製ストッパー板が磁石取付枠の一方に形成された第１の係止部の傾斜面に接触する。この第１の係止部と第２の係止部は、ケース本体に揺動可能に設けられた磁石取付枠に形成されている。金属製ストッパー板が第１の係止部の傾斜面に摺接すると、磁石取付枠が揺動し、金属製ストッパー板が第１の係止部を乗り越え易くなっている。金属製ストッパー板は、第１の係止部を乗り越えると、第２の係止部の係止突部に係止される。このようにして、扉の開放が規制されることになる。次に、扉を閉じると、金属製ストッパー板が第１の係止部の係止突部に係止される。金属製ストッパー板は、第１の係止部の係止突部と第２の係止部の係止突部に係止され、扉は回動（開閉）不能となっている。扉をさらに強く閉じると、金属製ストッパー板が第１の係止部の係止突部を押圧して、磁石取付枠が揺動し、金属製ストッパー板が第１の係止部を乗り越え易く、金属製ストッパー板が第１の係止部から外れる。このようにして、扉は閉じる方向に回動させることができる。このように、本願発明に係るドアストッパーは金属製ストッパー板を第１の係止部と第２の係止部が仮保持して、扉を仮止めすることができるという効果がある。
【００１６】
本願発明に係るドアストッパーは、前記ケース本体に、前記磁石取付枠をロックするロック位置とロックしない非ロック位置に移動可能なロック部材と、このロック部材を操作する操作部材とが設けられている。
【００１７】
本願発明に係るドアストッパーは、操作部材を操作してロック部材を非ロック位置に移動しておくと、磁石取付枠が揺動可能であり、前述したように、扉を仮止めすることができる。操作部材を操作してロック部材をロック位置に移動させると、磁石取付枠がロックされ、揺動不能となる。上記したように、金属製ストッパー板が第１の係止部を乗り越えて、第２の係止部に係止された時、磁石取付枠をロックすると、扉をさらに強く閉じて金属製ストッパー板が第１の係止部を押圧しても、磁石取付枠が揺動しないので、金属製ストッパー板が第１の係止部から外れることはない。このように、本願発明に係るドアストッパーは、操作部材を操作してロック部材をロック位置に移動しておくと、磁石取付枠が揺動不能にロックされており、金属製ストッパー板が、第１の係止部と第２の係止部に係止され、扉は完全に開閉（回動）不能となっている。本願発明に係るドアストッパーは、ロック部材を非ロック位置に移動させておくと、扉を仮止めしておき、扉に強めの力を加えると回動させることができる一方、ロック部材をロック位置に移動させておくと、金属製ストッパー板を第１の係止部と第２の係止部が本保持して、扉を本止めして完全に扉を開閉（回動）不能にしておくことができ、状況に合わせて、二種類の止め方を選択することができるという効果がある。
【００１８】
本願発明に係るドアストッパーは、前記操作部材が、ケース本体の一側に形成された開口から突出する操作レバーであって、当該操作レバーが、前記ロック部材に取り付けられている。本願発明に係るドアストッパーは、上記効果に加え、操作部材がケース本体の一側から突出する操作レバーであるので、扉の底壁に形成された凹部に収納することができ、邪魔にならず、扉の外観を損なわないという効果がある。なお、ケース本体にカバー体を摺動自在に取り付け、このカバー体を操作部材として利用しても構わない。
【図面の簡単な説明】
【００１９】
【図１】本願発明に係るドアストッパーの一つの実施の形態を示す分解斜視図である。
【図２】図１のドアストッパーの組立斜視図であって、（ａ）が正面図、（ｂ）が左上方から見た斜視図、（ｃ）が右上方から見た斜視図、（ｄ）が左下方から見た斜視図、（ｅ）が右下方から見た斜視図である。
【図３】図１のドアストッパーのケース本体の説明図であって、（ａ）が正面図、（ｂ）が左側面図、（ｃ）が右側面図、（ｄ）が上面図、（ｅ）が底面図、（ｆ）がＡ−Ａ断面図である。
【図４】図１のドアストッパーのカバー体の説明図であって、（ａ）が正面図、（ｂ）が左側面図、（ｃ）が右側面図、（ｄ）が上面図、（ｅ）が底面図、（ｆ）がＡ−Ａ断面図である。
【図５】図１のドアストッパーの内部構造を説明する斜視図である。
【図６】図１のドアストッパーの内部断面図である。
【図７】図１のドアストッパーの内部説明図である。
【図８】図１のドアストッパーの動作説明図である。
【発明を実施するための形態】
【００２０】
本願発明に係るドアストッパーの概要を説明する。ドアストッパー１は、図１，２に示すように、開閉する扉Ｄに取り付けられるケース本体１０と、ケース本体１０に設けられ、扉Ｄが開閉して、ケース本体１０が床面に回動可能に設けられた金属製ストッパー板８１の上方に位置すると、金属製ストッパー板８１をケース本体１０に引き寄せる磁石４２と、ケース本体１０に揺動可能に設けられ、前記磁石４２を取り付ける磁石取付枠４１とからなる。前記磁石取付枠４１には、扉Ｄの一方向の回動時に磁石４２によって引き寄せられた金属製ストッパー板８１と係止する第１の係止部５１と、扉Ｄの他方向の回動時に磁石４２によって引き寄せられた金属製ストッパー板８１と係止する第２の係止部５２が設けられている。
【００２１】
ドアストッパー１は、図８（ａ）に示すように、扉Ｄを開くと、扉Ｄに取り付けたケース本体１０の磁石４２が、床面に設けられた金属製ストッパー板８１を引き寄せる。図８（ｂ）に示すように、金属製ストッパー板８１が磁石取付枠４１の一方に形成された第１の係止部５１に接触する。この第１の係止部５１と第２の係止部５２は、ケース本体１０に揺動可能に設けられた磁石取付枠４１に形成されている。金属製ストッパー板８１が第１の係止部５１に接触すると、図８（ｃ）に示すように、磁石取付枠４１が揺動し、金属製ストッパー板８１が第１の係止部５１を乗り越え易くなっている。金属製ストッパー板８１は、第１の係止部５１を乗り越えると、第２の係止部５２に係止される。このようにして、扉Ｄの開放が規制されることになる。次に、図８（ｄ）に示すように、扉Ｄを閉じると、金属製ストッパー板８１が第１の係止部５１に係止される。金属製ストッパー板８１は、第１の係止部５１と第２の係止部５２に係止され、扉Ｄは回動（開閉）不能となっている。扉Ｄをさらに強く閉じると、図８（ｅ）に示すように、金属製ストッパー板８１が第１の係止部５１を押圧して、磁石取付枠４１が揺動し、金属製ストッパー板８１が第１の係止部５１を乗り越え易く、金属製ストッパー板８１が第１の係止部５１から外れる。このようにして、扉Ｄは閉じる方向に回動させることができる。このように、ドアストッパー１は金属製ストッパー板８１を第１の係止部５１と第２の係止部５２が仮保持して、扉Ｄを仮止めすることができる。
【００２２】
ドアストッパー１は、前記第１の係止部５１及び第２の係止部５２が磁石取付枠４１の底壁４７に設けられ、ケース本体１０の外側の面に前記金属製ストッパー板８１と摺接する傾斜面５１ａ、５２ａが形成され、ケース本体１０の内側の面に前記金属製ストッパー板８１と係止する係止突部５１ｂ，５２ｂが形成されている。
【００２３】
ドアストッパー１は、図８（ａ）に示すように、扉Ｄを開くと、扉Ｄに取り付けたケース本体１０の磁石４２が、床面に設けられた金属製ストッパー板８１を引き寄せる。図８（ｂ）に示すように、金属製ストッパー板８１が磁石取付枠４１の一方に形成された第１の係止部５１の傾斜面５１ａに接触する。この第１の係止部５１と第２の係止部５２は、ケース本体１０に揺動可能に設けられた磁石取付枠４１に形成されている。金属製ストッパー板８１が第１の係止部５１の傾斜面５１ａに摺接すると、図８（ｃ）に示すように、磁石取付枠４１が揺動し、金属製ストッパー板８１が第１の係止部５１を乗り越え易くなっている。金属製ストッパー板８１は、第１の係止部５１を乗り越えると、第２の係止部５２の係止突部５２ｂに係止される。このようにして、扉Ｄの開放が規制されることになる。次に、図８（ｄ）に示すように、扉Ｄを閉じると、金属製ストッパー板８１が第１の係止部５１の係止突部５１ｂに係止される。金属製ストッパー板８１は、第１の係止部５１の係止突部５１ｂと第２の係止部５２の係止突部５２ｂに係止され、扉Ｄは回動（開閉）不能となっている。扉Ｄをさらに強く閉じると、図８（ｅ）に示すように、金属製ストッパー板８１が第１の係止部５１の係止突部５１ｂを押圧して、磁石取付枠４１が揺動し、金属製ストッパー板８１が第１の係止部５１を乗り越え易く、金属製ストッパー板８１が第１の係止部５１から外れる。このようにして、扉Ｄは閉じる方向に回動させることができる。このように、ドアストッパー１は金属製ストッパー板８１を第１の係止部５１と第２の係止部５２が仮保持して、扉Ｄを仮止めすることができる。
【００２４】
ドアストッパー１は、前記ケース本体１０に、前記磁石取付枠４１をロックするロック位置とロックしない非ロック位置に移動可能なロック部材６０と、このロック部材６０を操作する操作部材６７とが設けられている。
【００２５】
ドアストッパー１は、操作部材６７を操作してロック部材６０を非ロック位置に移動しておくと、磁石取付枠４１が揺動可能であり、前述したように、扉Ｄを仮止めすることができる。操作部材６７を操作してロック部材６０をロック位置に移動させると、磁石取付枠４１がロックされ、揺動不能となる。上記したように、金属製ストッパー板８１が第１の係止部５１を乗り越えて、第２の係止部５２に係止された時、図８（ｆ）に示すように、磁石取付枠４１をロックすると、扉Ｄをさらに強く閉じて金属製ストッパー板８１が第１の係止部５１を押圧しても、磁石取付枠４１が揺動しないので、金属製ストッパー板８１が第１の係止部５１から外れることはない。このように、ドアストッパー１は、操作部材６７を操作してロック部材６０をロック位置に移動しておくと、磁石取付枠４１が揺動不能にロックされており、金属製ストッパー板８１が、第１の係止部５１と第２の係止部５２に係止され、扉Ｄは完全に開閉（回動）不能となっている。ドアストッパー１は、ロック部材６０を非ロック位置に移動させておくと、扉Ｄを仮止めしておき、扉Ｄに強めの力を加えると回動させることができる一方、ロック部材６０をロック位置に移動させておくと、金属製ストッパー板８１を第１の係止部５１と第２の係止部５２が本保持して、扉Ｄを本止めして完全に扉Ｄを開閉（回動）不能にしておくことができ、状況に合わせて、二種類の止め方を選択することができる。
【００２６】
ドアストッパー１は、前記操作部材６７が、ケース本体１０の一側に形成された開口１３ｂから突出する操作レバーであって、当該操作レバー６７が、前記ロック部材６０に取り付けられている。ドアストッパー１は、操作部材６７がケース本体１０の一側から突出する操作レバーであるので、扉Ｄの底壁に形成された凹部Ｄ１に収納することができ、邪魔にならず、扉Ｄの外観を損なわない。なお、ケース本体１０にカバー体を摺動自在に取り付け、このカバー体を操作部材として利用しても構わない。
【００２７】
さらにドアストッパーについて詳細に説明する。図１に示すように、ドアストッパー１は、カバー体２とケース本体１０とからなる。カバー体２は、図４に示すように、前壁３と、後壁４と、右壁５と、左壁６と、上壁７とからなる。前壁３は、下部に開口３ａが形成され、開口３ａの上部に縦長のネジ挿通孔３ｂが設けられ、右壁５、左壁６及び上壁７の前部に囲まれて凹部９の底を形成する。後壁４は、内面両側に略コ字状のガイド凹部４ａ，４ｂが形成されている。右壁５及び左壁６には、下端から上部に向かって切り欠き５ａ，６ａが形成されている。上壁７は、半円軸状に形成され、長手方向に向かって、挿通孔７ａが設けられている。
【００２８】
ケース本体１０は、図３に示すように、底壁１２と、前側壁１３と、後側壁１４と、右側壁１５と、左側壁１６とからなる。前側壁１３は、上端から下部に向かって切り欠き１３ａが形成され、略中央に開口１３ｂが設けられている。後側壁１４は、前記カバー体２の後壁４のガイド凹部４ａ，４ｂに案内されるガイド凸部１４ａ，１４ｂが設けられている。右側壁１５及び左側壁１６には、前記カバー体２の切り欠き５ａ，６ａに摺動可能に案内される摺動凸面１５ｂ，１６ｂが設けられている。従って、ケース本体１０は、カバー体２の上下方向に摺動可能に案内される構成となっている。
【００２９】
ケース本体１０の前記右側壁１５と左側壁１６の内側前部には、摺動溝１５ｃ,１６ｃが上下方向に伸びるように形成されている。また、ケース本体１０の下部には、磁石装着室２０が形成されている。磁石装着室２０は、前部に略U字状の軸受け凹部２２が形成された前方壁２１と、後部に略U字状の軸受け凹部２４が形成された後方壁２３を有している。また、磁石装着室２０は、上方壁２５を有し、上方壁２５の左右両側に矩形状の挿通孔２６，２７が形成されている。底壁１２には、磁石装着室２０と連通する開口２８が形成されている。右側壁１５と左側壁１６の下端外側には、底壁１２と連続する板状の係合部材２９Ａ，２９Ｂが突設されている。
【００３０】
図１に示すように、ケース本体１０内には、磁石装置４０が設けられている。磁石装置４０は、矩形箱状の磁石取付枠４１と、磁石取付枠４１に取り付けられる磁石４２とからなる。磁石取付枠４１は、前板４３と、後板４４と、右板４５と、左板４６と、底板４７とで構成され、上部が開放され、上部から磁石４２が収納される。前板４３及び後板４４の外面略中央には、支軸４８，４９が凸設されている。右板４５及び左板４６の内面上部には、磁石４２の上縁を係止して固定する係止爪４５ａ，４６ａが形成されている。右板４５及び左板４６の外面下部には、上方に向かうに従って外側に拡がるように傾斜する緩衝片５０が複数形成されている。
【００３１】
底板４７の外面左右両側には、図２に示すように、略三角凸部状の第１の係止部５１及び第２の係止部５２が設けられている。右側の第１の係止部５１は、右側の面が、右側から左側に向かって下降傾斜する傾斜面５１ａとなっており、左側の面に、略Ｖ字状の係止突起５１ｂが形成されている。左側の第２の係止部５２は、左側の面が、左側から右側に向かって下降傾斜する傾斜面５２ａとなっており、右側の面に、略Ｖ字状の係止突起５２ｂが形成されている。即ち、底板４７の外面左右両側において、略三角凸部状の第１の係止部５１及び第２の係止部５２が左右対称に配置されている。
【００３２】
磁石装置４０は、ケース本体１０の底壁１２に形成された開口２８から装着され、磁石取付枠４１の前板４３側の支軸４８が磁石装着室２０の前方壁２１に形成された軸受け凹部２２に回動可能に支持され、磁石取付枠４１の後板４４側の支軸４９が磁石装着室２０の後方壁２３に形成された軸受け凹部２４に回動可能に支持されて、ケース本体１０に揺動可能に取り付けられている。前記した第１の係止部５１及び第２の係止部５２は、底壁１２の開口２８から突出している。
【００３３】
ケース本体１０内であって、磁石装着室２０の上方には、ロック部材６０が設けられている。ロック部材６０は、図１に示すように、一対のロック本体６１と、一対のロック本体６１を連結する連結部材７１とからなる。ロック本体６１は、挿入片６２と、挿入片６２の上半部両側に略直角に設けられた一対の包持アーム６３，６４と、挿入片６２の上端に設けられた弾性片６５とからなり、合成樹脂によって一体成形されている。なお、挿入片６２の下半部は、下方に向かって厚みが薄くなるように形成されている。挿入片６２は、ケース本体１０の右側壁１５及び左側壁１６に形成されたガイド路１８，１９に上下方向に摺動可能に案内され、前述した挿通孔２６，２７から磁石装着室２０内に出没する。
【００３４】
連結部材７１は、略コ字状の連結部７２と、連結板７６とからなり、合成樹脂によって一体成形されている。連結部７２は、前部板７３と、後部板７４と、前部板７３と後部板７４の上端を連結する上部板７５とからなる。前部板７３と後部板７４の下端には、係合突起７３ａ，７４ａが形成されている。前記したロック本体６１は、弾性片６５を連結部材７１の前部板７３と後部板７４の間に差し込むようにして、一対の包持アーム６３，６４を前部板７３と後部板７４の両側から包持させて、連結部材７１に取り付けられる。ロック本体６１は、一対の包持アーム６３，６４が前部板７３と後部板７４の係合突起７３ａ，７４ａに係合し、連結部材７１から外れ難い構成となっている。連結板７６は、上面に一対のガイド爪７７，７８形成されている。ロック部材６０は、一対のガイド爪７７，７８が前記したケース本体１０の摺動溝１５ｃ,１６ｃに摺動可能に案内される。摺動溝１５ｃ，１６ｃには、素材の弾性によりガイド爪７７，７８が係止される係止部１７ａ，１７ｂが形成されている（図３参照）。
【００３５】
ロック部材６０は、一対のロック本体６１の挿入片６２，６２がガイド路１８，１９内に摺動可能に配置される。ロック部材６０は、素材の弾性によりガイド爪７７，７８がケース本体１０の摺動溝１５ｃ，１６ｃの係止部１７ａ（又は１７ｂ）に係止されており、ガイド爪７７，７８が係止部１７ａに係止されている場合には、図８（ｂ）に示すように、ロック本体６１が磁石取付枠４１の上方に移動しており、ガイド爪７７，７８が係止部１７ｂに係止されている場合には、図８（ｉ）に示すように、ロック本体６１の挿入片６２の先端が磁石取付枠４１に圧接する。即ち、ガイド爪７７，７８が係止部１７ａに係止されている場合には、連結部７２の係合突起７３ａ，７４ａが包持アーム６３，６４に係合して、ロック本体６１が磁石取付枠４１の上方に移動している。ガイド爪７７，７８が係止部１７ｂに係止されている場合には、連結部７２の上部板７５が、ロック本体６１の弾性片６５を下方に押圧し、弾性片６５が弾性を蓄えるように圧縮（変形）されて、ロック本体６１の挿入片６２の先端が磁石取付枠４１に圧接する。
【００３６】
ロック部材６０を構成する連結部材７１の一側には、操作レバー６７が取り付けられている。操作レバー６７は、連結部材７１に係止される一対の係止爪６８，６８を有し、ケース本体１０の開口１３ｂ及びカバー体２の開口３ａから外側に突出する。
【００３７】
ケース本体１０内には、ナット部材３０が設けられている。ナット部材３０は、略矩形状のナット本体３１とナットケース３２とからなる。ナット本体３１の略中央には雌ねじ３１ａが形成されている。ナットケース３２は、ナット本体３１を収容する収容室３２ａと、収容室３２ａの前壁に形成され、収容したナット本体３１の雌ねじ３１ａと対向する透孔３２ｂとが形成されている。ナットケース３２の両側には、嵌合突起３３，３３が形成され、嵌合突起３３，３３に係止爪３５，３５が設けられている。
【００３８】
ケース本体１０の右側壁１５と左側壁１６の内側前部上方には、嵌合溝１５ｄ、１６ｄが形成されている。ナット部材３０は、ナットケース３２の嵌合突起３３，３３が嵌合溝１５ｄ、１６ｄに嵌合し、係止爪３５，３５が着脱可能に係止され、ケース本体１０の切り欠き１３ａに嵌合して取り付けられ、雌ねじ３１ａがカバー体２の前壁３に設けられたネジ挿通孔３ｂに対向する。カバー体２のネジ挿通孔３ｂから固定ネジ３６を差し込んで、固定ネジ３６をナット部材３０の雌ねじ３１ａに締め付けることにより、カバー体２をケース本体１０に固定することができ、固定ネジ３６を緩めることにより、カバー体２内でケース本体１０を上下方向に摺動させることができる。
【００３９】
金属製ストッパー板８１は、図１に示すように、床面に固定される基台８５に回動可能に取り付けられている。金属製ストッパー板８１は、長板状に形成され、一端両側に取付軸８３，８３が形成され、他端側近傍に係合開口８２が形成されている。基台８５は、床面に固定される底板８６と、底板８６に接合固定されるカバー８７とからなる。底板８６は、平板状に形成され、一対のネジ通し穴８６ａ，８６ａと、一対の係合穴８６ｂ，８６ｂが設けられ、さらに軸受け部８６ｃ，８６ｃが形成されている。金属製ストッパー板８１は、底板８６の軸受け部８６ｃ，８６ｃに取付軸８３，８３が回動可能に枢着されて取り付けられ、カバー８７に形成された矩形状凹部８９内に位置している。底板８６は、ネジ通し穴８６ａ，８６ａにネジを挿通して床面に螺着して固定される。
【００４０】
ドアストッパー１は、上記構成を有し、図８（ａ）に示すように、扉Ｄの下端に形成された凹部Ｄ１内に設け、カバー体２の挿通孔７ａに取付ネジを挿通して扉Ｄにねじ込むことにより、扉Ｄに固定して取り付けられる。金属製ストッパー板８１は、床面に回動可能に取り付けられている。ドアストッパー１は、扉Ｄの開放方向によって、係止部の係止される順番が異なる。図８（ａ）に示すように、扉Ｄが左側（Ｘ方向）に開放される場合は、第１の係止部５１から接触し、扉Ｄが右側（Ｙ方向）に開放される場合は、第２の係止部５２から接触するが、第１の係止部５１と第２の係止部５２が対称的に形成されているので、ドアストッパー１は、扉Ｄのどの開放方向にも対応させることができる。
【００４１】
図８に示すように、扉Ｄが左側（Ｘ方向）に開放される場合のドアストッパー１について説明するが、右側に開放される場合は、扉Ｄが左側に開放される場合と同じ動きなので説明を省略する。ドアストッパー１の初期状態（非ロック状態）は、ロック部材６０のガイド爪７７，７８がケース本体１０の摺動溝１５ｃ，１６ｃの係止部１７ａに係止されている。図８（ｂ）に示すように、ロック部材６０は、磁石取付枠４１の上方に離間しており、磁石取付枠４１は揺動可能となっている。即ちこの初期状態は、ロック部材６０が非ロック位置にある非ロック状態である。この初期状態は、仮止め可能状態（仮保持可能状態）である。
【００４２】
図８（ｂ）に示すように、扉Ｄを開放方向Ｘに回動し、ドアストパー１が金属製ストッパー板８１の上方に移動すると、磁石４２によって金属製ストッパー板８１が上方に引き上げられ、金属製ストッパー板８１の先端８４が磁石取付枠４１の第１の係止部５１の傾斜面５１ａに接触する。金属製ストッパー板８１の先端８４が第１の係止部５１の傾斜面５１ａに摺接して、図８（ｃ）に示すように、磁石取付枠４１を揺動させて傾ける。磁石取付枠４１は、金属製ストッパー板８１の先端８４によって、扉Ｄの開放方向Ｘとは反対の方向Ｙに揺動し、第１の傾斜面５１ａが略水平に近付く。金属製ストッパー板８１の先端８４は、第１の傾斜面５１ａが略水平に近付くので、第１の係止部５１を容易に乗り越え、磁石取付枠４１の底板４７に摺接して、第２の係止部５２の係止突起５２ｂに係止される。
【００４３】
金属製ストッパー板８１の先端８４が第２の係止部５２の係止突起５２ｂに係止されると、磁石取付枠４１が扉Ｄの開放方向Ｘとは反対の方向Ｙに揺動するが、磁石取付枠４１の下端が左側壁１６（又は右側壁１５）に当接して揺動不能となり、係止突起５２ｂが固定され、扉Ｄの開放方向Ｘへの回動が阻止される。 扉Ｄは、このようにして、ドアストッパー１の第２の係止部５２により開放が規制される。
【００４４】
図８（ｄ）に示すように、扉Ｄを閉鎖方向Ｙに回動すると、第１の係止部５１の係止突起５１ｂに金属製ストッパー板８１の係合開口８２の周縁が係止される。金属製ストッパー板８１の係合開口８２の周縁が第１の係止部５１の係止突起５１ｂに係止されると、磁石取付枠４１が扉Ｄの開放方向Ｘに揺動するが、磁石取付枠４１の下端が右側壁１５（又は左側壁１６）に当接して揺動不能となり、係止突起５１ｂが固定され、扉Ｄの閉鎖方向Ｙへの回動が阻止される。扉Ｄは、このようにして、ドアストッパー１の第１の係止部５１により閉鎖が規制される。この回動規制は、仮保持状態（仮止め状態）となっている。図８（ｅ）に示すように、扉Ｄを閉鎖方向Ｙに、より強く回動すると、磁石取付枠４１の下端及び緩衝片３０が右側壁１５（又は左側壁１６）に圧接して、緩衝片３０及び／又は右側壁１５（又は左側壁１６）が変形し、磁石取付枠４１がさらに揺動する。磁石取付枠４１が支軸４８，４９を中心として時計方向に回転し、第１の係止部５１が上昇して、第１の係止部５１の係止突起５１ｂが金属製ストッパー板８１の係合開口８２の周縁から外れ、扉Ｄは閉鎖方向Ｙに回動する。このように、ドアストッパー１は、初期状態（非ロック状態）において、金属製ストッパー板８１を仮保持でき、扉Ｄの仮止めを行うことができ、扉Ｄを強制的に開閉させることができる。
【００４５】
図８（ｄ）に示すように、磁石取付枠４１の第１の係止部５１と第２の係止部５２により金属製ストッパー板８１が仮保持されている状態において、図８（ｆ）に示すように、操作レバー６７を押し下げると、ロック部材６０のガイド爪７７，７８がケース本体１０の摺動溝１５ｃ，１６ｃの係止部１７ｂに係止される。ロック部材６０の連結部材７１が弾性片６５，６５を介してロック本体６１，６１を押し下げる。
【００４６】
磁石取付枠４１が傾いている時、例えば図８（ｆ）に示すように、右側に傾いている時には、左板４６とケース本体１０の左側壁１６の間に隙間が形成されているので、当該隙間に左側のロック本体６１の挿入片６２が楔のように挿入する。左側に傾いている時には、右板４５とケース本体１０の右側壁１５の間に隙間が形成されているので、当該隙間に右側のロック本体６１の挿入片６２が楔のように挿入する。図８（ｉ）に示すように、磁石取付枠４１が略水平状態の時には、ロック本体６１，６１の挿入片６２、６２の先端が弾性片６５、６５の弾性により、磁石取付枠４１の右板４５及び左板４６の上端に圧接する。金属製ストッパー板８１の仮保持状態の時に扉Ｄを開閉させると、金属製ストッパー板８１により磁石取付枠４１は傾くので、傾いてできる隙間にロック本体６１の挿入片６２が楔のように挿入する。
【００４７】
磁石取付枠４１の左板４６とケース本体１０の左側壁１６の間の隙間又は磁石取付枠４１の右板４５とケース本体１０の右側壁１５の間の隙間に、ロック本体６１の挿入片６２が挿入すると、磁石取付枠４１はロックされた状態となり、揺動不能となる。即ちこの状態は、ロック部材６０がロック位置にあって、磁石取付枠４１が揺動不能のロック状態となっており、扉Ｄの本止め状態（金属製ストッパー板８１の本保持状態）である。
【００４８】
図８（ｇ）に示すように、扉Ｄを閉鎖方向Ｙに回動すると、第１の係止部５１の係止突起５１ｂが係合開口８２の周縁に係合し、扉Ｄの閉鎖方向Ｙへの回動が完全に規制される。
また、扉Ｄを開放方向Ｘに回動すると、第２の係止部５２の係止突起５２ｂが金属製ストッパー板８１の先端８４に係合し、扉Ｄの開放方向Ｘへの回動が完全に規制される。扉Ｄは、このようにして、ドアストッパー１の第１の係止部５１及び第２の係止部５２により開放及び閉鎖が完全に規制される。この回動規制は、磁石取付枠４１が揺動不能にロックされているので、金属製ストッパー板８１の本保持状態（扉Ｄの本止め状態）となっている。従って、扉Ｄを閉鎖方向Ｙにより強く回動しても、仮保持状態（仮止め状態）と異なり、第１の係止部５１の係止突起５１ｂが係合開口８２の周縁から外れることはない。このように、ドアストッパー１は、ロック状態において、扉Ｄの開閉を完全に阻止することができる。なお、図８（ｈ）に示すように、操作レバー６７を引き上げると、ロック部材６０のガイド爪７７，７８がケース本体１０の摺動溝１５ｃ，１６ｃの係止部１７ａに係止され、ロック本体６１，６１が磁石取付枠４１の上方に移動して、初期状態（非ロック状態）に戻るので、図８（ｅ）に示すように、扉Ｄを閉鎖方向Ｙに回動させることができる。
【００４９】
ドアストッパー１が金属製ストッパー板８１を係止していない状態で、図８（ｉ）に示すように、操作レバー６７を押し下げると、ロック部材６０のガイド爪７７，７８がケース本体１０の摺動溝１５ｃ，１６ｃの係止部１７ｂに係止され、弾性片６５，６５がロック本体６１，６１を押し下げる。ロック本体６１，６１の挿入片６２、６２の先端が弾性片６５、６５の弾性により、磁石取付枠４１の右板４５及び左板４６の上端に圧接する。
【００５０】
操作レバー６７はロック位置にあるが、実際は、ロック本体６１，６１の挿入片６２、６２の先端が磁石取付枠４１の右板４５及び左板４６の上端に圧接しているので、磁石取付枠４１は揺動可能であり、まだ非ロック状態である。この状態の時に、図８（ｊ）に示すように、扉Ｄを開放方向Ｘに回動し、ドアストッパー１が金属製ストッパー板８１の上方に移動すると、磁石４２によって金属製ストッパー板８１が上方に引き上げられ、金属製ストッパー板８１の先端８４が磁石取付枠４１の第１の係止部５１の傾斜面５１ａに接触する。金属製ストッパー板８１の先端８４が第１の係止部５１の傾斜面５１ａに摺接して、図８（ｋ）に示すように、磁石取付枠４１を揺動させて傾ける。磁石取付枠４１は、金属製ストッパー板８１の先端８４によって、扉Ｄの開放方向Ｘとは反対の方向Ｙに揺動し、第１の傾斜面５１ａが略水平に近付く。金属製ストッパー板８１の先端８４は、第１の傾斜面５１ａが略水平に近付くので、第１の係止部５１を容易に乗り越え、磁石取付枠４１の底板４７に摺接して、第２の係止部５２の係止突起５２ｂに係止される。磁石取付枠４１が揺動して傾くと、傾いた方の隙間にロック本体６１の挿入片６２が楔のように挿入する。即ち、図８（ｋ）に示すように、磁石取付枠４１が右側に傾くと、左板４６とケース本体１０の左側壁１６の間に隙間が形成されるので、当該隙間に左側のロック本体６１の挿入片６２が楔のように挿入する。このようにして、磁石取付枠４１は、ロック本体６１により、揺動不能にロックされる。
【００５１】
扉Ｄは、磁石取付枠４１が揺動不能にロックされるので、ドアストッパー１により開放が完全に規制される。即ち、扉Ｄは、ドアストッパー１の第１の係止部５１と第２の係止部５２に金属製ストッパー板８１が係止され、開放及び閉鎖が完全に規制される。このように、ドアストッパー１は、扉Ｄの本止め状態（金属製ストッパー板８１の本保持状態）となっており、前述したように、操作レバー６７を引き上げて扉Ｄの仮止め状態（金属製ストッパー板８１の仮保持状態）にすることができる。
【産業上の利用可能性】
【００５２】
本発明は、開閉する扉を開いた状態でロックするドアストッパーに利用可能である。
【符号の説明】
【００５３】
Ｄ  扉
１  ドアストッパー
２  カバー体
３  前壁
３ａ  開口
３ｂ  ネジ挿通孔
４  後壁
４ａ  ガイド凹部
４ｂ  ガイド凹部
５  右壁
５ａ  切り欠き
６  左壁
６ａ  切り欠き
７  上壁
７ａ  挿通孔
９  凹部
１０  ケース本体
１２  底壁
１３  前側壁
１３ａ  切り欠き
１３ｂ  開口
１４  後側壁
１４ａ  ガイド凸部
１４ｂ  ガイド凸部
１５  右側壁
１５ｂ  摺動凸面
１５ｃ  摺動溝
１５ｄ  嵌合溝
１６  左側壁
１６ｂ  摺動凸面
１６ｃ  摺動溝
１６ｄ  嵌合溝
１７ａ  係止部
１７ｂ  係止部
１８  ガイド路
１９  ガイド路
２０  磁石装着室
２１  前方壁
２２  軸受け凹部
２３  後方壁
２４  軸受け凹部
２５  上方壁
２６  挿通孔
２７  挿通孔
２８  開口
２９Ａ  係合部材
２９Ｂ  係合部材
３０  ナット部材
３１  ナット本体
３１ａ  雌ねじ
３２  ナットケース
３２ａ  収容室
３２ｂ  透孔
３３  嵌合突起
３５  係止爪
３６  固定ネジ
４０  磁石装置
４１  磁石取付枠
４２  磁石
４３  前板
４４  後板
４５  右板
４５ａ  係止爪
４６  左板
４６ａ  係止爪
４７  底板（底壁）
４８  支軸
４９  支軸
５０  緩衝片
５１  第１の係止部
５１ａ  傾斜面
５１ｂ  係止突起（係止突部）
５２  第２の係止部
５２ａ  傾斜面
５２ｂ  係止突起（係止突部）
６０  ロック部材
６１  ロック本体
６２  挿入片
６３  包持アーム
６４  包持アーム
６５  弾性片
６７  操作レバー（操作部材）
６８  係止爪
７１  連結部材
７２  連結部
７３  前部板
７３ａ  係合突起
７４  後部板
７４ａ  係合突起
７５  上部板
７６  連結板
７７  ガイド爪
７８  ガイド爪
８１  金属製ストッパー板
８２  係合開口
８３  取付軸
８４  先端
８５  基台
８６  底板
８６ａ  ネジ通し穴
８６ｂ  係合穴
８６ｃ  軸受け部
８７  カバー
８９  矩形状凹部
【図１】
0006523127.tif 000002
【図２】
0006523127.tif 000003
【図３】
0006523127.tif 000004
【図４】
0006523127.tif 000005
【図５】
0006523127.tif 000006
【図６】
0006523127.tif 000007
【図７】
0006523127.tif 000008
【図８】
0006523127.tif 000009